(57)【要約】【課題】ウエスト側の連結用突出部を斜め下向きに、脚周り側の連結用突出部を斜め上向きに引き伸ばし易いものとする。【解決手段】上記課題は、背側部分Ｂの各側部に、腹側部分Ｆと着脱自在に連結される連結用突出部５Ｗ，５Ｕがそれぞれ突出されたテープタイプ使い捨ておむつにおいて、ウエスト側の連結用突出部５Ｗ及び脚周り側の連結用突出部５Ｕがミシン目１０を介して一体化された状態で設けられており、各連結用突出部５Ｗ，５Ｕの本体部５ｂが幅方向に弾性伸縮する伸縮部として構成されており、かつウエスト側の連結用突出部５Ｗは、ウエスト側から脚周り側に向かうにつれて段階的又は連続的に幅方向の弾性変形時引張応力が強くされ、脚周り側の連結用突出部５Ｕは、脚周り側からウエスト側に向かうにつれて段階的又は連続的に幅方向の弾性変形時引張応力が強くされる、ことにより解決される。【選択図】図７
2015142685.tif 000002
【特許請求の範囲】
【請求項１】
股間部と、股間部の前側及び後側にそれぞれ延出する腹側部分及び背側部分とを有し、背側部分における幅方向両側部から、腹側部分と着脱自在に連結される連結用突出部がそれぞれ突出されており、
前記連結用突出部は、前記背側部分に固定された固定部と、前記背側部分から突出する突出部とを有し、この突出部は、前記連結のための連結部が設けられた先端部と、この先端部よりも基端側の本体部とを有している、テープタイプ使い捨ておむつにおいて、
前記背側部分の各側部におけるウエスト側の部位及び脚周り側の部位にそれぞれ前記連結用突出部が設けられるか、又は前記背側部分の各側部に、ウエスト側の連結用突出部及び脚周り側の連結用突出部がミシン目を介して一体化された状態で設けられており、
各連結用突出部の本体部のうち幅方向の少なくとも一部が幅方向に弾性伸縮する伸縮部として構成されており、かつ
ウエスト側の連結用突出部は、ウエスト側から脚周り側に向かうにつれて段階的又は連続的に幅方向の弾性変形時引張応力が強くなり、脚周り側の連結用突出部は、脚周り側からウエスト側に向かうにつれて段階的又は連続的に幅方向の弾性変形時引張応力が強くされる、
ことを特徴とするテープタイプ使い捨ておむつ。
【請求項２】
前記連結用突出部の本体部のうち幅方向の少なくとも一部分は、第１のシートと第２のシートとが貼り合わされて形成されるとともに、第１のシートと第２のシートとの間に弾性伸縮部材が幅方向に伸長した状態で挟持固定されている部分であり、
前記第１のシート及び第２のシートは、展開状態で、幅方向に所定の間隔を空けて形成された、縦方向に延びるシート接合部により接合されており、且つ前記本体部における前記弾性伸縮部材は前記シート接合部で前記第１のシート及び第２のシートに固定され、これらシート接合部間では前記第１のシート及び第２のシートに固定されておらず、
前記ウエスト側の連結用突出部は、ウエスト側から脚周り側に向かうにつれて段階的に前記弾性伸縮部材の伸縮方向非固定割合が低くなり、前記脚周り側の連結用突出部は、脚周り側からウエスト側に向かうにつれて段階的に前記弾性伸縮部材の伸縮方向非固定割合が低くなる、
請求項１記載のテープタイプ使い捨ておむつ。
【請求項３】
前記連結用突出部の本体部のうち少なくとも一部分は、第１のシートと第２のシートとが貼り合わされて形成されるとともに、第１のシートと第２のシートとの間に弾性伸縮部材が幅方向に伸長した状態で挟持固定されている部分であり、
前記第１のシート及び第２のシートは、展開状態で、幅方向に所定の間隔を空けて形成された、縦方向に延びるシート接合部により接合されており、且つ前記本体部における前記弾性伸縮部材は前記シート接合部で前記第１のシート及び第２のシートに固定され、これらシート接合部間では前記第１のシート及び第２のシートに固定されておらず、
前記ウエスト側の連結用突出部は、本体部の固定部側から本体部の縦方向中間を通り先端部側へ向かう斜め下向きの境界を基準として脚周り側の領域の方がウエスト側の領域よりも前記弾性伸縮部材の伸縮方向非固定割合が低く、前記脚周り側の連結用突出部は、本体部の固定部側から本体部の縦方向中間を通り先端部側へ向かう斜め上向きの境界を基準としてウエスト側の領域の方が脚周り側の領域よりも前記弾性伸縮部材の伸縮方向非固定割合が低い、
請求項１又は２記載のテープタイプ使い捨ておむつ。
【請求項４】
股間部と、股間部の前側及び後側にそれぞれ延出する腹側部分及び背側部分とを有し、背側部分における幅方向両側部から、腹側部分と着脱自在に連結される連結用突出部がそれぞれ突出されており、
前記連結用突出部は、前記背側部分に固定された固定部と、前記背側部分から突出する突出部とを有し、この突出部は、前記連結のための連結部が設けられた先端部と、この先端部よりも基端側の本体部とを有している、テープタイプ使い捨ておむつにおいて、
前記背側部分の各側部におけるウエスト側の部位及び脚周り側の部位にそれぞれ前記連結用突出部が設けられるか、又は前記背側部分の各側部に、ウエスト側の連結用突出部及び脚周り側の連結用突出部がミシン目を介して一体化された状態で設けられており、
前記連結用突出部の本体部のうち少なくとも一部分は、第１のシートと第２のシートとが貼り合わされて形成されるとともに、第１のシートと第２のシートとの間に弾性伸縮部材が幅方向に伸長した状態で挟持固定されている部分であり、
前記第１のシート及び第２のシートは、展開状態で、幅方向に所定の間隔を空けて形成された、弾性伸縮部材の延在方向に対する鋭角側交差角が４５度より大きい斜め方向に連続する斜め縞状のシート接合部により接合されており、且つ前記本体部における前記弾性伸縮部材は前記斜め縞状のシート接合部で前記第１のシート及び第２のシートに固定され、これらシート接合部間では前記第１のシート及び第２のシートに固定されておらず、
前記ウエスト側の連結用突出部のシート接合部は、本体部の固定部側から先端部側へ向かって斜め下向きとされ、前記脚周り側の連結用突出部のシート接合部は、本体部の固定部側から先端部側へ向かって斜め上向きとされている、
ことを特徴とするテープタイプ使い捨ておむつ。
【請求項５】
前記ウエスト側の連結用突出部及び脚周り側の連結用突出部はミシン目を介して一体化された状態で設けられており、
前記ウエスト側の連結用突出部におけるシート接合部及び脚周り側の連結用突出部のシート接合部が、前記ウエスト側の連結用突出部から前記脚周り側の連結用突出部にかけて連続的に塗布された接着剤により形成されている、
請求項１〜４のいずれか１項に記載のテープタイプ使い捨ておむつ。
【発明の詳細な説明】
【技術分野】
【０００１】
本発明は、テープタイプ使い捨ておむつに関する。
【背景技術】
【０００２】
一般的なテープタイプ使い捨ておむつは、前後方向中央から前側に延在する腹側部分と、後側に延在する背側部分とを有し、背側部分の両側部から突出するファスニングテープを有し、身体への装着に際して、ファスニングテープを腰の両側から腹側外面に回して腹側外面に連結する構造を有している（例えば特許文献１，２参照）。
【０００３】
このようなテープタイプ使い捨ておむつは、乳幼児向けとして用いられる他、介護用途（成人用途）で広く使用されているが、ウエスト周り及び脚周りが緩み易いという問題点を有している。
【０００４】
この問題点の解決は、テープタイプ使い捨ておむつの重要な課題の一つとなっており、その一つの解決手法として、背側部分の各側部におけるウエスト側の端部及び脚周り側の端部にそれぞれファスニングテープを設け（例えば特許文献１の図８に示される例を参照。）、ウエスト側のファスニングテープを斜め下向きに引っ張りつつ連結することによりウエスト周りをしっかりと締め付けるとともに、脚周り側のファスニングテープを斜め上向きに引っ張りつつ連結することにより脚周りをしっかりと締め付ける、といった手法がある。
【０００５】
また、同様の装着形態を可能にするものとして、一体的なファスニングテープの先端側が二股に分かれて上下一対の連結用突出部が形成された二股構造のものも知られている（例えば特許文献１の図９に示される例を参照。）。
【０００６】
さらに、ミシン目によりファスニングテープの先端側を上下二段に分割して上下一対の連結用突出部を形成することも提案されている（特許文献１、２参照）。以上の解決手法は、連結用突出部を上下一対設ける点で共通するものである。
【０００７】
他の解決手法としては、ファスニングテープを幅方向に弾性伸縮可能に構成すること（特許文献２〜４参照）が知られている。
【０００８】
さらに、これら解決手法を組み合わせ、連結用突出部を上下一対設けるとともに、各突出部を幅方向に弾性伸縮可能としたものも提案されている（特許文献２参照）。
【先行技術文献】
【特許文献】
【０００９】
【特許文献１】特許第４６８３５２２号公報
【特許文献２】特開２０１０−０２２５８７号公報
【特許文献３】特開２０１２−１００７７４号公報
【特許文献４】特開２０１１−１６０９３３号公報
【発明の概要】
【発明が解決しようとする課題】
【００１０】
しかし、連結用突出部を上下一対設けるとともに、各連結用突出部を幅方向に弾性伸縮可能とした場合、各連結用突出部の弾性変形時引張応力が縦方向に一様であると、装着の際に連結用突出部は幅方向には引き伸ばし易いが、幅方向に対して傾斜した斜め方向には引き伸ばし難くなってしまう。その結果、従来のものでは、連結用突出部を上下一対設けた構造の理想的装着状態、つまり、ウエスト側の連結用突出部を斜め下向きに、かつ脚周り側の連結用突出部を斜め上向きに引き伸ばして連結することが困難となっていた。
【００１１】
そこで、本発明の主たる課題は、連結用突出部を上下一対設け、かつ各連結用突出部を幅方向に弾性伸縮可能としつつも、ウエスト側の連結用突出部を斜め下向きに、脚周り側の連結用突出部を斜め上向きに引き伸ばし易いテープタイプ使い捨ておむつを提供することにある。
【課題を解決するための手段】
【００１２】
上記課題を解決した本発明及びその作用効果は次記のとおりである。
＜請求項１記載の発明＞
股間部と、股間部の前側及び後側にそれぞれ延出する腹側部分及び背側部分とを有し、背側部分における幅方向両側部から、腹側部分と着脱自在に連結される連結用突出部がそれぞれ突出されており、
前記連結用突出部は、前記背側部分に固定された固定部と、前記背側部分から突出する突出部とを有し、この突出部は、前記連結のための連結部が設けられた先端部と、この先端部よりも基端側の本体部とを有している、テープタイプ使い捨ておむつにおいて、
前記背側部分の各側部におけるウエスト側の部位及び脚周り側の部位にそれぞれ前記連結用突出部が設けられるか、又は前記背側部分の各側部に、ウエスト側の連結用突出部及び脚周り側の連結用突出部がミシン目を介して一体化された状態で設けられており、
各連結用突出部の本体部のうち幅方向の少なくとも一部が幅方向に弾性伸縮する伸縮部として構成されており、かつ
ウエスト側の連結用突出部は、ウエスト側から脚周り側に向かうにつれて段階的又は連続的に幅方向の弾性変形時引張応力が強くされ、脚周り側の連結用突出部は、脚周り側からウエスト側に向かうにつれて段階的又は連続的に幅方向の弾性変形時引張応力が強くされる、
ことを特徴とするテープタイプ使い捨ておむつ。
【００１３】
（作用効果）
このように各連結用突出部の弾性変形時引張応力に変化を設けると、ウエスト側の連結用突出部は脚周り側よりもウエスト側が幅方向に引き伸ばし易くなるため、斜め下向きに引き伸ばし易くなり（収縮力に逆らわずに引き伸ばすと自然に斜め下向きになる）、脚周り側の連結用突出部はウエスト側よりも脚周り側が幅方向に引き伸ばし易くなるため、斜め上向きに引き伸ばし易くなる（収縮力に逆らわずに引き伸ばすと自然に斜め上向きになる）。よって、より容易に理想的な装着状態とすることができ、また各連結用突出部が弾性伸縮することもあって、テープタイプ使い捨ておむつにおけるウエスト周り及び脚周りの緩みを効果的に防止することができる。
【００１４】
＜請求項２記載の発明＞
前記連結用突出部の本体部のうち幅方向の少なくとも一部分は、第１のシートと第２のシートとが貼り合わされて形成されるとともに、第１のシートと第２のシートとの間に弾性伸縮部材が幅方向に伸長した状態で挟持固定されている部分であり、
前記第１のシート及び第２のシートは、展開状態で、幅方向に所定の間隔を空けて形成された、縦方向に延びるシート接合部により接合されており、且つ前記本体部における前記弾性伸縮部材は前記シート接合部で前記第１のシート及び第２のシートに固定され、これらシート接合部間では前記第１のシート及び第２のシートに固定されておらず、
前記ウエスト側の連結用突出部は、ウエスト側から脚周り側に向かうにつれて段階的に前記弾性伸縮部材の伸縮方向非固定割合が低くなり、前記脚周り側の連結用突出部は、脚周り側からウエスト側に向かうにつれて段階的に前記弾性伸縮部材の伸縮方向非固定割合が低くなる、
請求項１記載のテープタイプ使い捨ておむつ。
【００１５】
（作用効果）
各連結用突出部に弾性変形時引張応力の変化を付けるための手法は種々考えられるが、上記のように、弾性伸縮部材の伸縮方向非固定割合に変化を付ける手法は接合パターンの変更だけで済むため好ましい。すなわち、弾性伸縮部材の伸縮方向非固定割合が低いほど弾性変形時引張応力は強くなるため、本項記載の形態では、ウエスト側の連結用突出部は、ウエスト側から脚周り側に向かうにつれて段階的に幅方向の弾性変形時引張応力が強くされ、脚周り側の連結用突出部は、脚周り側からウエスト側に向かうにつれて段階的に幅方向の弾性変形時引張応力が強くなる。伸縮方向非固定割合の定義については後述する。
【００１６】
＜請求項３記載の発明＞
前記連結用突出部の本体部のうち少なくとも一部分は、第１のシートと第２のシートとが貼り合わされて形成されるとともに、第１のシートと第２のシートとの間に弾性伸縮部材が幅方向に伸長した状態で挟持固定されている部分であり、
前記第１のシート及び第２のシートは、展開状態で、幅方向に所定の間隔を空けて形成された、縦方向に延びるシート接合部により接合されており、且つ前記本体部における前記弾性伸縮部材は前記シート接合部で前記第１のシート及び第２のシートに固定され、これらシート接合部間では前記第１のシート及び第２のシートに固定されておらず、
前記ウエスト側の連結用突出部は、本体部の固定部側から本体部の縦方向中間を通り先端部側へ向かう斜め下向きの境界を基準として脚周り側の領域の方がウエスト側の領域よりも前記弾性伸縮部材の伸縮方向非固定割合が低く、前記脚周り側の連結用突出部は、本体部の固定部側から本体部の縦方向中間を通り先端部側へ向かう斜め上向きの境界を基準としてウエスト側の領域の方が脚周り側の領域よりも前記弾性伸縮部材の伸縮方向非固定割合が低い、
請求項１又は２記載のテープタイプ使い捨ておむつ。
【００１７】
（作用効果）
各連結用突出部に弾性変形時引張応力の変化を付けるための手法は種々考えられるが、上記のように、弾性伸縮部材の伸縮方向非固定割合に変化を付ける手法は接合パターンの変更だけで済むため好ましい。すなわち、弾性伸縮部材の伸縮方向非固定割合が低いほど弾性変形時引張応力は強くなるため、本項記載の形態では、ウエスト側の連結用突出部は、斜め下向きの境界よりも脚周り側の方がウエスト側よりも幅方向の弾性変形時引張応力が強くなり、その結果としてウエスト側から脚周り側に向かうにつれて連続的に幅方向の弾性変形時引張応力が強くなる。同様に、脚周り側の連結用突出部は、斜め上向きの境界よりもウエスト側の方が脚周り側よりも幅方向の弾性変形時引張応力が強くなり、その結果として脚周り側からウエスト側に向かうにつれて連続的に幅方向の弾性変形時引張応力が強くなる。伸縮方向非固定割合の定義については後述する。
【００１８】
＜請求項４記載の発明＞
股間部と、股間部の前側及び後側にそれぞれ延出する腹側部分及び背側部分とを有し、背側部分における幅方向両側部から、腹側部分と着脱自在に連結される連結用突出部がそれぞれ突出されており、
前記連結用突出部は、前記背側部分に固定された固定部と、前記背側部分から突出する突出部とを有し、この突出部は、前記連結のための連結部が設けられた先端部と、この先端部よりも基端側の本体部とを有している、テープタイプ使い捨ておむつにおいて、
前記背側部分の各側部におけるウエスト側の部位及び脚周り側の部位にそれぞれ前記連結用突出部が設けられるか、又は前記背側部分の各側部に、ウエスト側の連結用突出部及び脚周り側の連結用突出部がミシン目を介して一体化された状態で設けられており、
前記連結用突出部の本体部のうち少なくとも一部分は、第１のシートと第２のシートとが貼り合わされて形成されるとともに、第１のシートと第２のシートとの間に弾性伸縮部材が幅方向に伸長した状態で挟持固定されている部分であり、
前記第１のシート及び第２のシートは、展開状態で、幅方向に所定の間隔を空けて形成された、弾性伸縮部材の延在方向に対する鋭角側交差角が４５度より大きい斜め方向に連続する斜め縞状のシート接合部により接合されており、且つ前記本体部における前記弾性伸縮部材は前記斜め縞状のシート接合部で前記第１のシート及び第２のシートに固定され、これらシート接合部間では前記第１のシート及び第２のシートに固定されておらず、
前記ウエスト側の連結用突出部のシート接合部は、本体部の固定部側から先端部側へ向かって斜め下向きとされ、前記脚周り側の連結用突出部のシート接合部は、本体部の固定部側から先端部側へ向かって斜め上向きとされている、
ことを特徴とするテープタイプ使い捨ておむつ。
【００１９】
（作用効果）
このように斜め縞状のシート接合部により第１のシート及び第２のシートが接合され、かつ弾性伸縮部材が第１のシート及び第２のシートに固定されていると、展開状態の弾性伸縮部材の延在方向に対して収縮状態の弾性伸縮部材の向きが斜め方向となるものである。これは、展開状態から弾性伸縮部材の収縮に伴い第１のシート及び第２のシートが収縮するとき、第１のシートと第２のシートとの接合部間が自然に襞寄せされる方向が弾性伸縮部材の収縮方向に対してズレる（鋭角側交差角が４５度より大きくなるように交差する）ために、これらの方向のズレのつり合いがとれるように第１のシート及び第２のシートが変形（矩形領域であれば伸縮方向一方側の辺が他方側の辺に対して平行にずれた平行四辺形のようになる）し、その結果として収縮状態の弾性伸縮部材の向きが斜め方向となるものである。この伸縮構造は完全に展開した状態では弾性伸縮部材の向きは斜め方向とはならないが、製品状態（自然長状態）および装着状態では弾性伸縮部材の向きが斜め方向となり、斜め方向に沿うフィット性が得られるようになる。
【００２０】
本項記載の発明では、この原理を利用すべく、ウエスト側の連結用突出部のシート接合部は、本体部の固定部側から先端部側へ向かって斜め下向きとされ、脚周り側の連結用突出部のシート接合部は、本体部の固定部側から先端部側へ向かって斜め上向きとされているものであり、この結果、ウエスト側の連結用突出部は製品状態（自然長状態）および装着状態では先端側に向かうにつれて斜め下向きの形状となるとともに、斜め下向きに引き伸ばし易いものとなり、脚周り側の連結用突出部は製品状態（自然長状態）および装着状態では先端側に向かうにつれて斜め上向きの形状となるとともに、斜め上向きに引き伸ばし易いものとなる。なお、用語「斜め方向」とは基準方向に対して直角となる方向は含まない意味である。
【００２１】
＜請求項５記載の発明＞
前記ウエスト側の連結用突出部及び脚周り側の連結用突出部はミシン目を介して一体化された状態で設けられており、
前記ウエスト側の連結用突出部におけるシート接合部及び脚周り側の連結用突出部のシート接合部が、前記ウエスト側の連結用突出部から前記脚周り側の連結用突出部にかけて連続的に塗布された接着剤により形成されている、
請求項１〜４のいずれか１項に記載のテープタイプ使い捨ておむつ。
【００２２】
（作用効果）
このような形態とすることにより、製造が容易になるとともに、ミシン目を切り離さない状態でウエスト側の連結用突出部及び脚周り側の連結用突出部に形成される皺が縦方向に連続的となり、製品状態の見栄えが良いものとなる。
【発明の効果】
【００２３】
以上のとおり、本発明によれば、連結用突出部を上下一対設け、かつ各連結用突出部を幅方向に弾性伸縮可能としつつも、ウエスト側の連結用突出部を斜め下向きに、脚周り側の連結用突出部を斜め上向きに引き伸ばし易いテープタイプ使い捨ておむつとなる、等の利点がもたらされる。
【図面の簡単な説明】
【００２４】
【図１】テープタイプ使い捨ておむつの展開状態の内面側を示す平面図である。
【図２】テープタイプ使い捨ておむつの展開状態の外面側を示す平面図である。
【図３】図１のiii−iii断面図である。
【図４】図１のiv−iv断面図である。
【図５】図１のV−V断面図である。
【図６】吸収体、脚付根部弾性伸縮部材、及び脚周り弾性伸縮部材の位置関係を示す平面図である。
【図７】連結用突出部の拡大図である。
【図８】装着状態を示す斜視図である。
【図９】サンプルの連結用突出部の拡大図である。
【図１０】連結用突出部の拡大図である。
【図１１】連結用突出部の拡大図である。
【図１２】連結用突出部の拡大図である。
【図１３】（ａ）交差角９０度の場合、（ｂ）鋭角側交差角３０度、（ｃ）鋭角側交差角４５度の場合、（ｄ）鋭角側交差角６５度、（ｅ）鋭角側交差角７５度の場合、の各サンプルにおける展開状態と収縮状態（自然長状態）とを対比的に示す写真である。
【図１４】連結用突出部の拡大図である。
【図１５】連結用突出部の拡大図である。
【発明を実施するための形態】
【００２５】
以下、本発明の一実施形態について添付図面を参照しながら詳説する。
図１〜図７は、本発明に係るテープタイプ使い捨ておむつの一例を示しており、この使い捨ておむつは、不透液性バックシート１の内面と、透液性トップシート２との間に、吸収体３が介在された基本構造を有するものである。
【００２６】
（吸収体）
吸収体３としては、パルプ繊維の積繊体、セルロースアセテート等のフィラメントの集合体、あるいは不織布を基本とし、必要に応じて高吸収性ポリマーを混合、固着等してなるものを用いることができる。吸収体３としては、図示形態のような、下層吸収体３Ｂの表面側に下層吸収体３Ｂよりも寸法の小さい上層吸収体３Ａを積層してなる２層構造のものの他、一層構造のものも採用することができる。また、必要に応じて、吸収体３はクレープ紙（図示せず）により包むことができる。また、吸収体３の形状は適宜定めることができるが、図示のような砂時計形状の他、長方形等のように、股間部の前側から後側まで延在する形状が好適である。吸収体３におけるパルプ目付けは１００〜５００ｇ／ｍ2程度、厚みは１〜１５ｍｍ程度であるのが望ましい。また、高吸水性樹脂の目付けは０〜３００ｇ／ｍ2程度であるのが望ましい。高吸水性樹脂含有率が少な過ぎると、十分な吸収能を与えることができず、多過ぎるとパルプ繊維間の絡み合いが少なくなり、ヨレや割れ等が発生し易くなる。
【００２７】
（バックシート）
バックシート１は、吸収体３の周囲より外側に延在しており、吸収体３に吸収された排泄物の裏面側への移動を遮断するものである。バックシート１としては、ポリエチレンフィルム等のプラスチックフィルムの他、ムレ防止の点から遮水性を損なわずに透湿性を備えたシートも用いることができる。この遮水・透湿性シートは、例えばポリエチレンやポリプロピレン等のオレフィン系樹脂中に無機充填材を溶融混練してシートを形成した後、一軸または二軸方向に延伸することにより得られる微多孔性シートを用いることができる。バックシート１の単位面積あたりの重量は１３〜４０ｇ／ｍ2であるのが好ましく、厚みは０．０１〜０．１ｍｍであるのが好ましい。
【００２８】
おむつ外面を布のような外観、肌触りとするために、バックシート１の裏面全体は外装シート１２で覆われており、両シート１，１２の外周縁はおむつの外周縁まで及んでいる。外装シート１２としては各種の不織布を用いることができるが、スパンボンド不織布が好適である。外装シート１２は省略することもできる。
【００２９】
（トップシート）
トップシート２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。また、不織布の加工方法としては、スパンレース法、スパンボンド法、ＳＭＳ法、サーマルボンド法、メルトブローン法、ニードルパンチ法、エアスルー法、ポイントボンド法等の公知の方法を用いることができる。透液性トップシート２に用いる不織布の繊維目付けは１５〜３０ｇ／ｍ2であるのが好ましく、厚みは０．０５〜１ｍｍであるのが好ましい。
【００３０】
トップシート２は、吸収体３の周囲より外側に延在しており、吸収体３側縁より外側に延在する部分がバックシート１にホットメルト接着剤等により固着されている。なお、図中の点模様は固着部分を表しているものである。
【００３１】
（側部バリヤーシート）
図３及び図４にも示されるように、物品内面の両側部（図示形態ではトップシート２の側縁部表面からその側方に延在するバックシート１の表面）には、側部バリヤーシート４の幅方向外側の部分４ｘが前後方向全体にわたり貼り付けられている。側部バリヤーシート４は、各種不織布（スパンボンド不織布が好適である）の他、バックシートに用いられるものと同様のプラスチックフィルム、又はこれらの積層シートを用いることができるが、肌への感触性の点で、撥水処理を施した不織布が好適である。側部バリヤーシート４の幅方向中央側の部分４ｃは、前後方向両端部では物品内面（図示形態ではトップシート２表面）にホットメルト接着剤等の手段により固着されているが、これらの間の中間部は非固定の自由部分となっており、この自由部分の先端部（展開状態における幅方向中央側の端部）には、細長状弾性伸縮部材４Ｇが前後方向に沿って伸長した状態でホットメルト接着剤等により固定されている。この細長状弾性伸縮部材４Ｇは図示例では所定の間隔を空けて複数本設けられているが、一本でも良い。細長状弾性伸縮部材４Ｇ（他の細長状弾性伸縮部材も同様）としては、糸状、紐状、帯状等に形成された天然ゴム又は合成ゴム、具体的にはスチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。この自由部分は、細長状弾性伸縮部材４Gの収縮力が作用する結果、図４に示されるように、物品内面（図示形態ではトップシート２表面）に対して起立する側部バリヤーを構成する。この起立部分の基端４ｂは側部バリヤーシート４における幅方向外側の固定部分４ｘと内側の部分４ｃとの境に位置する。なお、図１中の右斜め上がりの斜線部分は側部バリヤーシート４の固着部分を示しており、左斜め上がりの斜線部分は後述する背側バリヤーシート３０の固着部分を示している。
【００３２】
（フラップ部及び各部の寸法等）
使い捨ておむつ１００の前後方向両端部では、バックシート１、外装シート１２、透液性トップシート２および側部バリヤーシート４が吸収体３の前後端よりも前後両側にそれぞれ延在され、吸収体３の存在しないエンドフラップ部ＥＦが形成されている。一方、使い捨ておむつ１００の左右両側部では、バックシート１、外装シート１２、透液性トップシート２および側部バリヤーシート４が吸収体３の側縁よりも側方にそれぞれ延在され、吸収体３の存在しないサイドフラップ部が形成されている。サイドフラップ部のうち腹側部分Ｆのウエスト側部分及び背側部分Ｂのウエスト側部分にそれぞれ位置する部分は、それらの間の中間部分よりも側方に延出されており、これらの部分が、おむつの胴回り部分となるウエスト側サイドフラップ部ＳＦとなる。
【００３３】
また、使い捨ておむつ１００は、前後方向において、両側縁（脚開口の縁となる部分）Ｌｅが脚周りに沿う括れ曲線状をなす範囲として定まる股部Ｃと、この股部Ｃの前側及び後側にそれぞれ延出する部分であって、且つ両側縁が前後方向に沿う直線状をなす、腹側胴周り部ＴＦ及び背側胴周り部ＴＢとを有する。
【００３４】
各部の寸法は適宜定めることができるが、図示形態では例えば次のとおりとすることが好ましい。
股部の縦方向長さ：おむつ全長Ｌの30〜50％（好適には34〜46％）
背側胴周り部ＴＢの縦方向長さ：おむつ全長Ｌの25〜35％（好適には29〜33％）
背側胴周り部ＴＢの横方向長さＷ：おむつ全長Ｌの45〜70％（好適には52〜60％）
後述の連結パネルの縦方向長さ５Ｙ：おむつ全長Ｌの15〜28％（好適には20〜25％）
また、次の寸法関係を有するものが好適である。
腹側胴周り部ＴＢの縦方向長さ：おむつ全長Ｌの15〜30％（特に20〜24％）
腹側胴周り部ＴＢの横方向長さ：背側胴周り部ＴＢの横方向長さＷと同じ。
後述の連結パネルの突出部５ｅの長さ：おむつ全長Ｌの10〜30％（特に15〜24％）
【００３５】
（背側バリヤー）
図示形態の使い捨ておむつ１００においては、トップシート２の後端部（図示例の場合はエンドフラップ部ＥＦ）には、おむつ内面（図示形態ではトップシート２表面）に対して起立する背側バリヤーシート３０が設けられている。より詳細には、図５にも示すように、背側バリヤーシート３０は、ウエスト側端部が幅方向全体にわたりトップシート２表面にホットメルト接着剤等の接合手段により接合されるとともに、股間側部分のうち両端部がトップシート２と両バリヤーシート４との間に挟まれて両シートに対してホットメルト接着剤等の接合手段により接合され（図１にはこれらの接合部分が右斜め下向きの斜線で示されている）、これら両端部の間の部分が非固定の自由部分とされ、この自由部分の先端部が内向き（トップシート２側）に折り返されて折り返し部分の対向面相互がホットメルト接着剤等の固定手段により固定され、かつこの折り返し部分のシート間に細長状弾性伸縮部材３１が幅方向に沿って伸長した状態でホットメルト接着剤等の固定手段により固定されている。この細長状弾性伸縮部材３１は図示例では所定の間隔を空けて複数本設けられているが、一本でも良い。この自由部分は、細長状弾性伸縮部材３１の収縮力が作用する結果、おむつ内面（図示形態ではトップシート２表面）に対して起立する背側バリヤーを構成する。この起立部分の基端は背側バリヤーシート３０におけるウエスト側端部の固定部分と内側の自由部分との境に位置する。
【００３６】
（背側伸縮部）
さらに、背側部分Ｂにおけるウエスト側部分（図示例の場合はウエスト側端部であるエンドフラップ部ＥＦ）は、幅方向中間部が幅方向に弾性伸縮する背側伸縮部４０として構成されていると好ましい。図示例の背側伸縮部４０は幅方向中央部にのみ設けられているが、幅方向全体にわたり設けたり、幅方向両側部にのみ設けたりすることもでき、また幅方向中央線ＷＣに関して線対称に設けられているのが好ましい。より詳細には、背側バリヤーシート３０のウエスト側端部が内向き（トップシート２側）に折り返され、折り返し部分の対向面相互がホットメルト接着剤等の固定手段により固定され、かつこの折り返し部分のシート間に細長状弾性伸縮部材４１が幅方向に沿って伸長した状態でホットメルト接着剤等の固定手段により固定されている。この細長状弾性伸縮部材４１は一本でも良いが図示例のように所定の間隔を空けて複数本設けるのが好ましい。この弾性伸縮部材４１の本数は、１〜１０本程度、特に２〜５本程度が適当であり、図示例では３本である。また、その間隔は２〜１５ｍｍ程度、特に３〜７ｍｍ程度とするのが好ましい。さらに、細長状弾性伸縮部材４１の太さは５００〜１５００ｄｔｅｘ程度、特に９００〜１３００ｄｔｅｘ程度（天然ゴムの場合０．１〜３ｍｍ程度、特に０．５〜３ｍｍ程度）とするのが好ましく、また取り付け時の伸長率は１４０〜２００％程度、特に１４０〜１８０％程度とするのが好ましい。図示例では、背側バリヤーシート３０のウエスト側端部を利用して背側伸縮部４０の弾性伸縮部材４１を取り付けているが、この弾性伸縮部材４１をトップシート２とバックシート１との間や、バックシート１と外装シート１２との間に挟んで固定することもできる。このような背側伸縮部４０を有することにより、おむつ背側背側部分Ｂにおけるウエスト側端部が装着者の背中に弾力的に押し当てられ、おむつと装着者の背中との間に隙間が発生し難くなる。
【００３７】
（脚付根部弾性伸縮部材・脚周り弾性伸縮部材）
他方、使い捨ておむつの幅方向中央線ＷＣの両側には、少なくとも股部Ｃの前後方向範囲にわたり前後方向に延在する複数本の脚付根部弾性伸縮部材１３及び複数本の脚周り弾性伸縮部材１４が、その延在方向に沿って伸長された状態で、おむつ幅方向中央線ＷＣに関して線対称をなすようにそれぞれ取り付けられている。これらの弾性伸縮部材１３，１４は、図示形態では外装シート１２とバックシート１との間にホットメルト接着剤を用いて固定されているが、吸収体３を支持する支持部であれば他の部分に設けることもできる。ここで、支持部とは、吸収体３がおむつから離脱しないように支持する部分であり、吸収体３以外の素材により複合的に形成されるものである。具体的に本実施形態の場合、吸収体３の裏面側に位置する部材であるバックシート１及び外装シート１２と、吸収体３の表面側を覆うトップシート２、並びに吸収体３の表面側の両側部を覆う側部バリヤーシート４が、吸収体３の支持部を構成しており、その幅方向両側縁のうち前後方向中間の部分が、装着者の脚を通す脚開口の縁Ｌｅをなしている。よって、脚付根部弾性伸縮部材１３及び脚周り弾性伸縮部材１４は、取付位置に応じて、バックシート１と側部バリヤーシート４との間や、バックシート１とトップシート２との間、あるいはトップシート２の裏面に設けることもできる。また、脚付根部弾性伸縮部材１３及び脚周り弾性伸縮部材１４は、その少なくとも一方又は少なくとも一方の一部を異なるシート間に取り付けることができる。これら脚付根部弾性伸縮部材１３及び脚周り弾性伸縮部材１４が前後方向に沿う細長状弾性伸縮部材であり、またこれらを挟持固定する内シート及び外シートが、図示形態ではバックシート１及び外装シート１２である。
【００３８】
各脚付根部弾性伸縮部材１３は、平面的なおむつの部材を装着者の脚付根周りの複雑な形状に適合させるためのものであり、股間部から背側Ｂにおいては、おむつ前後方向中央線ＬＣに対して後側に１１０〜９０ｍｍの範囲内であって、且つおむつ幅方向中央線ＷＣからの離間距離が１００〜１１０ｍｍの範囲内に位置する第１屈曲点ｃ１、及びおむつ前後方向中央線ＬＣに対して後側に１０ｍｍの位置から前側に１５ｍｍの位置までの範囲内であって、且つおむつ幅方向中央線ＷＣからの離間距離が４０〜３０ｍｍの範囲内に位置する第２屈曲点ｃ２、をこの順に通る屈曲線状をなしており、第１屈曲点ｃ１より後側の部分から第２屈曲点ｃ２まではおむつ幅方向中央線ＷＣからの離間距離が減少する傾きを有し、第２屈曲点ｃ２ではおむつ幅方向中央線ＷＣに最も近づき、第１屈曲点ｃ１では幅方向外側に膨出するような屈曲形状をなし、第２屈曲点ｃ２では幅方向中央側に膨出するような屈曲形状をなしているものである。
【００３９】
また、各脚付根部弾性伸縮部材１３は、股間部から腹側においては、おむつ前後方向中央線ＬＣに対して前側に１３０〜１６５ｍｍの範囲内であって、且つおむつ幅方向中央線ＷＣからの離間距離が６５〜５５ｍｍの範囲内に位置する第３屈曲点ｃ３、おむつ前後方向中央線ＬＣに対して前側に１６０〜２１５ｍｍの範囲内であって、且つおむつ幅方向中央線ＷＣからの離間距離が８０〜９５ｍｍの範囲内に位置する第４屈曲点ｃ４、及びおむつ前後方向中央線ＬＣに対して前側に１７５〜２４５ｍｍの範囲内であって、且つおむつ幅方向中央線ＷＣからの離間距離が９０〜１２０ｍｍの範囲内に位置する第５屈曲点ｃ５、をこの順に通る屈曲線状をなし、第２屈曲点ｃ２から第５屈曲点ｃ５より前側の部分まではおむつ幅方向中央線ＷＣからの離間距離が増加する傾きを有し、第４屈曲点ｃ４では幅方向外側に膨出するような屈曲形状をなし、第３及び第５屈曲点ｃ５では幅方向中央側に膨出するような屈曲形状をなしているものである。脚付根部弾性伸縮部材１３は、股間部から腹側において、他の配置パターンを採用することもできる。
【００４０】
左右各側における脚付根部弾性伸縮部材１３の本数は適宜定めることができるが、１〜５本程度、特に２〜４本程度が適当であり、図示例では３本である。左右各側における脚付根部弾性伸縮部材１３の本数を複数本とする場合には、その間隔は例えば１〜２０ｍｍ程度、好ましくは２〜１５ｍｍ程度、特に好ましくは８〜１２ｍｍ程度である。また、各脚付根部弾性伸縮部材１３としては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができ、太さとしては３００〜３０００ｄｔｅｘ程度、特に５００〜１５００ｄｔｅｘ程度、天然ゴムの場合０．１〜３ｍｍ程度、特に０．５〜３ｍｍ程度が好ましい。また、各脚付根部弾性伸縮部材１３の固定時の伸長率は、特に１５０〜２５０％程度であるのが好ましい。
【００４１】
このような屈曲線状の脚付根部弾性伸縮部材１３を備えていると、その収縮力の作用によって、おむつが脚の付根周りの複雑な立体形状、すなわち装着者の脚の付根周りのうち股間から臀溝、大腿筋膜張筋の上部にわたる部分だけでなく、股間から内転筋群の凸部を横断して鼠蹊部までにわたり、確実にフィットするようになる。より詳細には、おむつのうち脚付根部弾性伸縮部材１３の第２屈曲点ｃ２から第１屈曲点ｃ１までを有する部分が、装着者の股間後部から臀溝にかけて押し付けられ、第１屈曲点ｃ１より後側の部分が装着者の臀溝から大腿筋膜張筋の上部にかけて押し付けられる。また、第２屈曲点ｃ２から第３屈曲点ｃ３までを有する部分が、装着者の股間全体にわたり押し付けられ、第３屈曲点ｃ３から第５屈曲点ｃ５までの部分が第４屈曲点ｃ４を有する部分を頂点として内転筋群の凸部に沿うように押し付けられ、第５屈曲点ｃ５より前側の部分が装着者の鼠蹊部に押し付けられる。そしてこのように、脚の付根周りの複雑な形状に適合した配置で弾性伸縮部材１３を設けることによって、静的なフィット性はもちろんのこと、動的なフィット性も良好となり、例えば仰臥位から座位、座位から仰臥位の姿勢に変化する際における脚の付根周りの形状変化に対してもおむつの形状が追従し易くなる。その結果、おむつと脚の付根周りとの間に不要な空間が形成され難くなり、漏れが発生し難くなる。なお、比較のため、従来の使い捨ておむつの装着状態の写真を図１６に示した。この従来の使い捨ておむつは、上述の脚付根部弾性伸縮部材１３のような、吸収体３と重なる弾性伸縮部材を有さず、後述する脚周り弾性伸縮部材１４と同様の位置に、前後方向に沿って直線状に配置された細長状弾性伸縮部材を３本有するものであり、ダミー人形に仰向きの状態で装着し、仰向き寝から座位を経て仰向き寝へ戻る姿勢変化を１０回繰り返した後の状態（めくれや、隙間が発生している）を示している。
【００４２】
ここで、上記各屈曲点の位置は大人用使い捨ておむつを想定したものである。具体的には、全長が７００〜１０００ｍｍ程度、脚開口の縁Ｌｅと対応する部分の前後方向長さが３００〜５５０ｍｍ程度、おむつ前後方向中央線ＬＣに対して後側に１１０〜９０ｍｍの範囲内における幅が１８０〜２４０ｍｍ程度、おむつ前後方向中央線ＬＣに対して後側に１０ｍｍの位置から前側に１５ｍｍの位置までの範囲内における幅が４０〜１００ｍｍ程度、おむつ前後方向中央線ＬＣに対して前側に１３０〜１６５ｍｍの範囲内における幅が９０〜１５０ｍｍ程度、おむつ前後方向中央線ＬＣに対して前側に１６０〜２１５ｍｍの範囲内における幅が１４０〜２１０ｍｍ程度、且つおむつ前後方向中央線ＬＣに対して前側に１７５〜２４５ｍｍの範囲内における幅が１６０〜２６０ｍｍ程度の使い捨ておむつにおいて、特に好適なものである。
【００４３】
他方、一般的な設計の使い捨ておむつに対して上述の脚付根部弾性伸縮部材１３を設けた場合、おむつの両側部に、少なくとも股部Ｃの前後方向範囲にわたり、脚付根部弾性伸縮部材１３の部位よりも幅方向外側に食み出す脚周り包囲部分ＬＨが形成されるとともに、吸収体３の両側部のうち少なくとも脚付根部弾性伸縮部材１３における第２屈曲点ｃ２から第３屈曲点ｃ３までの部分と前後方向において対応する部分が、脚周り包囲部分ＬＨにおける幅方向中間部まで延在するようになる。よって、前述の脚付根部弾性伸縮部材１３だけでは、それよりも外側の脚周り包囲部分ＬＨが脚周りに押し付けられないため、当該包囲部分ＬＨに位置する吸収体側部から排泄物が漏れ出るおそれがある。これを解決するために、股間部を含む部分における吸収体３の幅を狭めることも考えられるが、最も重要な部分といえる股間部における吸収量の確保が困難となるため好ましくない。
【００４４】
そこで、図示形態では、吸収体３は、少なくとも股部Ｃの前後方向範囲にわたり設け、且つその両側部のうち少なくとも脚付根部弾性伸縮部材１３における第２屈曲点ｃ２から第３屈曲点ｃ３までの部分と前後方向において対応する部分を、脚周り包囲部分ＬＨにおける幅方向中間部まで延在させるとともに、各脚周り包囲部分ＬＨに、脚開口の縁Ｌｅに沿って延在する脚周り弾性伸縮部材１４を、その延在方向に沿って伸長した状態で取り付けている。このように、脚付根部弾性伸縮部材１３のみならず、その幅方向外側に食み出す脚周り包囲部分ＬＨに、脚開口の縁Ｌｅに沿って延在する脚周り弾性伸縮部材１４を設けると、脚周り包囲部分ＬＨが脚周りに押し付けられ、脚周りからの漏れが発生し難くなるため好ましい。
【００４５】
左右各側における脚周り弾性伸縮部材１４の本数は適宜定めることができるが、３〜１０本程度、より好ましくは３〜８本程度、特に４〜６本程度が適当であり、図示例では５本である。左右各側における脚周り弾性伸縮部材１４の本数を複数本とする場合には、その間隔は１〜２０ｍｍ程度、好ましくは２〜１５ｍｍ程度、特に好ましくは６〜１０ｍｍ程度である。また、各脚周り弾性伸縮部材１４としては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができ、太さとしては５００〜１５００ｄｔｅｘ程度、天然ゴムの場合０．１〜３ｍｍ程度、特に０．５〜３ｍｍ程度が好ましい。また、各脚周り弾性伸縮部材１４の固定時の伸長率は１５０〜２５０％程度であるのが好ましい。
【００４６】
また、図示形態のように、左右各側における脚周り弾性伸縮部材１４の本数を複数本とする場合、そのうちの少なくとも一部の脚周り弾性伸縮部材１４は、少なくとも脚付根部弾性伸縮部材１３における第２屈曲点ｃ２から第３屈曲点ｃ３までの部分と前後方向において対応する部分が、吸収体３の側縁と脚開口の縁Ｌｅとの間を通過するように配置し、残りの脚周り弾性伸縮部材１４は、少なくとも脚付根部弾性伸縮部材１３における第２屈曲点ｃ２から第３屈曲点ｃ３までの部分と前後方向において対応する部分が、吸収体３の側部と重なる位置を通過するように配置するのが好ましい。このように、脚周り弾性伸縮部材１４を適所に設け、吸収体３を有する幅方向内側部分及び吸収体を有しない幅方向外側部分の双方を脚周りに押し付ける構造とすることによって、脚周り包囲部分ＬＨ全体が均等に脚周りにフィットし、漏れ防止効果も一層となる。
【００４７】
（吸収体のスリット）
上述の脚付根周りに対するフィット性を更に向上させるために、図６にも示すように、吸収体３の両側部における脚付根部弾性伸縮部材１３の通過部位の一部又は全部に、その脚付根部弾性伸縮部材１３の通過方向に沿ってスリット３Ｘが形成されている。このスリット３Ｘは、図示例では前端が吸収体３の周縁に達して開口する線状の切欠部により形成しているが、吸収体３の周縁に達しない中抜きとして形成することもできる。また、吸収体３が図示例のように複数層の積層構造を有する場合は、図示するように全ての層３Ａ，３Ｂにスリット３Ｘを形成すると好ましいが、一部の層（単数でも複数でも良い）にのみ形成しても良い。またスリット３Ｘに代えてエンボス加工による線状の圧縮部を形成しても良い。
【００４８】
スリット３Ｘの寸法等は適宜定めることができる。スリット３Ｘの幅は、製造容易性等の観点から１０〜２５ｍｍ程度とするのが望ましい。図示例のスリット３Ｘは、各脚付根部弾性伸縮部材１３における第２屈曲点（後側屈曲点）ｃ２から第４屈曲点（前側屈曲点）ｃ４間の部分が通過する部位の実質全体に、その通過方向に沿って屈曲線状に形成されている。脚付根部弾性伸縮部材１３の配置が異なる他の形態の使い捨ておむつにおいても、上記第２屈曲点（後側屈曲点）ｃ２から第４屈曲点（前側屈曲点）ｃ４間の部分と同じ前後方向範囲にスリット３Ｘを設けるのが好ましい。
【００４９】
このようなスリット３Ｘを設けることにより、脚付根部弾性伸縮部材１３の収縮力の作用によって、股間部の吸収体３を有する部分のうち脚付根部弾性伸縮部材１３の通過部位が股間から大腿部内側面にかけて脚の付け根に対して押し付けられる際、吸収体３がこのスリット３Ｘに沿って確実に屈曲し、角部が脚の付け根に対してより適切にフィットし、股間部の吸収体３を有する部分のうち脚付根部弾性伸縮部材１３の通過部位よりも幅方向外側の部分が脚の付け根から脚周りにかけてより適切にフィットし、幅方向内側の部分が脚の付け根から股間にかけてより適切にフィットするようになる。
【００５０】
特に、脚付根部弾性伸縮部材１３はおむつ幅方向中央線ＷＣの両側にそれぞれ複数本設けるのが好ましいが、その場合、各側の複数本の脚付根部弾性伸縮部材１３のうち、少なくとも一本がスリット３Ｘの領域内を通過するように配置され、他の少なくとも一本がスリット３Ｘの領域の幅方向外側（特に吸収体３と重なる部位）を通過するように配置されていると好ましい。これによって、スリット３Ｘの領域内を通過する脚付け根部弾性伸縮部材１３が、吸収体３の屈曲部位にしっかりとした角部を形成するとともに、当該角部を脚の付け根にしっかりと押し付けることができ、スリット３Ｘの領域の幅方向外側を通過する脚付け根部弾性伸縮部材１３が屈曲部位よりも幅方向外側の部分を脚の付け根から脚周りにかけてしっかりと押し付けることができるようになる。
【００５１】
他方、複数本の脚付根部弾性伸縮部材１３は前側に向うにつれて間隔が狭くなっており、複数本の脚周り弾性伸縮部材１４はそれぞれ前後各側に向かうにつれて間隔が狭くなっている。また、これらの弾性伸縮部材１３，１４の前後各側は、ウエスト側サイドフラップ部ＳＦ（脚周り開口の縁Ｌｅよりウエスト側）にかけて設けられている。
【００５２】
また、脚付根部及び脚周り弾性伸縮部材１３，１４における前後両端部と重なる部分では、脚付根部及び脚周り弾性伸縮部材１３，１４を挟持する隣接シート（バックシート１と外装シート１２）が固着されていない非固着領域とされ、この領域内では脚付根部及び脚周り弾性伸縮部材１３，１４は隣接シート（バックシート１と外装シート１２）に固着されていない。これは、製造時に行われる前後縁での切断により弾性伸縮部材１３，１４を同時に切断し、脚付根部及び脚周り弾性伸縮部材１３，１４の前後端部を収縮させて、隣接シート間に引き込ませ、前後縁からはみ出ないようにするためである。この結果、図２に点線で示すように、外装シート１２とバックシート１との間に非固着領域からなる筒状の通路１２ｒが形成される。この通路１２ｒは製品前後縁に開口している。脚付根部及び脚周り弾性伸縮部材１３，１４の他の部分（前後方向中間部分）と重なる部分では、両シート１，１２が固着され、この固着領域内では脚付根部及び脚周り弾性伸縮部材１３，１４は伸長状態で両シート１２，１に接着固定される。
【００５３】
この筒状の通路１２ｒの位置は、腹側においてはウエスト側端縁からフロントターゲットテープ６の下縁まで延在しており、この通路１２ｒの下端開口から脚付根部及び脚周り弾性伸縮部材１３，１４が導入されている。この結果、ターゲットテープ６を幅広にして腹側のウエスト側サイドフラップＳＦの両端近傍まで延在させる、或いはより股間側まで延在させる等により、脚付根部及び脚周り弾性伸縮部材１３，１４がターゲットテープ６と交差する配置となっても、ターゲットテープ６に対して脚付根部及び脚周り弾性伸縮部材１３，１４の収縮力が作用せず、脚付根部及び脚周り弾性伸縮部材１３，１４の収縮力によりターゲットテープ６に皺が寄ることがない。よって、ターゲットテープ６全体にわたり十分な連結力が得られるようになる。
【００５４】
また、腹側部分Ｆにおいては、脚付根部及び脚周り弾性伸縮部材１３，１４は、ある程度の間隔（例えば２〜１０ｍｍ程度、特に３〜１０ｍｍ程度）を保ったまま通路１２ｒの股間側端縁に至るように設けるのが好ましい。このように、左右各側の脚付根部及び脚周り弾性伸縮部材１３，１４が、股間部から前側に向かうにつれて間隔が狭くなるように配置されている場合、複数本の弾性伸縮部材１３，１４が通路１２ｒの股間側端縁と交差する位置で幅方向にある程度の間隔を有していると、非固着領域である通路１２ｒとその股間側の固着領域との境界に収縮力が集中し難く、フィット性及び見栄えの悪化を防止できる。
【００５５】
ただしこの場合、ターゲットテープ６は股間側に対しても広範囲に設けると非固着領域が過大となり、強度低下等の問題点をもたらすおそれがある。特に、矩形状の接着パターンにより非固着領域である通路１２ｒを設けた場合は尚更である。そこで、図示のように脚付根部及び脚周り弾性伸縮部材１３，１４の間隔の狭まりに対応させて（つまり通路１２ｒの側縁が隣接する弾性伸縮部材の曲線に沿うように）、通路１２ｒの幅をターゲットテープ６の股間側端縁から腹側部分におけるウエスト側端縁に向かうにつれて縮小するのが好ましい。通常のおむつの製造ラインにおいて非固着領域の幅を連続的に変化するのは困難であるため、図示のように非固着領域を階段状に形成するのが好ましい。特に、脚付根部及び脚周り弾性伸縮部材１３，１４が図示形態のようなパターンをなしている場合、通路１２ｒの幅方向外側の側縁は前後方向に沿って直線状をなすようにし、幅方向中央側の側縁のみを階段状に屈曲させるのが好ましい。
【００５６】
上記例では、脚付根部及び脚周り弾性伸縮部材１３，１４における通路１２ｒ（非固着領域）内の部分は、隣接シート（バックシート１と外装シート１２）の両者に固着されていない形態であるが、内シートであるバックシート１に対してだけであれば固着されていても良い。
【００５７】
（連結用突出部）
背側胴回り部ＴＢには、その側縁からそれぞれ突出する連結パネル５が取り付けられるとともに、腹側胴回り部ＴＦの表面に幅方向に沿ってフロントターゲットテープ６が貼着されており、身体への装着に際しては、おむつ１００を身体にあてがった状態で、両側の連結パネル５を腰の各側から腹側外面に回してフロントターゲットテープ６に止着する。フロントターゲットテープ６は省略することもでき、その場合には連結パネル５はおむつ外面（図示形態の場合外装シート１２）に直に止着される。
【００５８】
より詳細には図７に示すように、連結パネル５は、上下方向中間部における幅方向外側縁から本体部５ｂ内まで幅方向に沿うミシン目１０が設けられており、このミシン目１０を切り離すことにより各々が固定部、本体部、先端部及び連結部を備えたウエスト側の連結用突出部５Ｗ及び脚周り側の連結用突出部５Ｕに分離することができるものである。なお、後述するように伸縮部形成のために細長状の弾性伸縮部材２０を用いる場合は、ミシン目１０は弾性伸縮部材２０を横切らず且つ十分に離間するように配置するか、又は横切る場合にはミシン目１０のカット部分の形成時に同時に弾性伸縮部材２０を切断しておくことが望ましい。ミシン目１０に代えて、予め切断等によりウエスト側の連結用突出部５Ｗ及び脚周り側の連結用突出部５Ｕが形成されていても良く、また、別々に形成された連結用突出部がウエスト側の部位及び脚周り側の部位にそれぞれ取り付けられていても良い。このような連結パネル５は、図８（ａ）（ｂ）に示すように、ウエスト側の連結用突出部５Ｗを斜め下向きに、かつ脚周り側の連結用突出部５Ｕを斜め上向きに連結することができ、図８（ｂ）に示すように、ウエスト側の連結用突出部５Ｗと脚周り側の連結用突出部５Ｕとを交差させた状態で、腹側胴回り部ＴＦのフロントターゲットテープ６に連結することができる。
【００５９】
連結パネル５は、背側胴回り部ＴＢにおけるシート間にホットメルト接着剤等の手段により固定された固定部５ｆと、背側胴回り部ＴＢの側縁のシート間から幅方向外側に突出する突出部５ｅとを有しており、この突出部５ｅは先端部５ｐと、この先端部５ｐよりも基端側の本体部５ｂとを有している。連結パネル５の先端部５ｐの内面側（透液性表面シート２側）における上側部分及び下側部分（少なくとも下側部分にあれば良い）には、ターゲットテープ６との連結のための連結部として、表面にフック状突起を多数有するフックテープ（メカニカルファスナー（面ファスナー）の雄材）９，９がそれぞれ取り付けられており、フロントターゲットテープ６としてフック状突起が着脱可能に掛止される表面を有するもの（メカニカルファスナー（面ファスナー）の雌材）６が取り付けられている。おむつ外面の素材自体をフロントターゲットテープ６の代わりに用いたり、フックテープ９に代えて粘着剤層を用いるとともに、フロントターゲットテープ６として粘着性に富むような表面が平滑な樹脂テープを用いたりすることができる。
【００６０】
特に、図示形態の連結パネル５は、その全体にわたる（つまり固定部５ｆ、本体部５ｂ及び先端部５ｐにわたる）第１のシート５１と、この第１のシート５１の先端部５ｐの幅方向全体にわたり固定された補強シート５２とを有するとともに、第１のシート５１の固定部５ｆに該当する部分がシートを折り返して貼り合わせることにより補強されている。連結部であるフックテープ９はこの補強シート５２の幅方向中間部に貼り付けられている。このように固定部５ｆ及び先端部５ｐを補強することにより、固定部５ｆ及び先端部５ｐにおける強度や剛性を確保し、また本体部５ｂにおける柔軟性や伸縮性を確保することができる。また、第１のシート５１の内面側には、先端部５ｐにおける補強シート５２と第１のシート５１との間から固定部５ｆにおける折り返し部分の対向面間まで第２のシート５３が張り合わされている。
【００６１】
各シート５１〜５３は、一枚の素材で形成する他、複数枚の素材を貼り合わせて形成することもできる。各シート５１〜５３の素材は特に限定されないが不織布が好適である。不織布としては公知のものを特に限定無く用いることができる。不織布を構成する繊維としては、ポリエチレンまたはポリプロピレン等のオレフィン系、ポリエステル系、アミド系等の合成繊維の他、レーヨンやキュプラ等の再生繊維、綿等の天然繊維を用いることができる。また、不織布の製造方法としては、スパンレース法、スパンボンド法、ＳＭＳ法、サーマルボンド法、メルトブローン法、ニードルパンチ法、エアスルー法、ポイントボンド法等の公知の方法を用いることができる。特にオレフィン系繊維を用いたスパンボンド不織布、ＳＭＳ不織布が好ましい。使用する不織布の坪量は適宜定めることができるが、本体部５ｂにおける不織布の総坪量が２０〜７５ｇ／ｍ2、特に２６〜４６ｇ／ｍ2であり、固定部５ｆ及び先端部５ｐにおける不織布の総坪量がそれぞれ３５〜１３０ｇ／ｍ2、特に４６〜１１６ｇ／ｍ2であると好ましい。また、第１のシート５１及び第２のシート５３に用いる不織布の各坪量は１５〜２５ｇ／ｍ2程度であるのが好ましく、補強シート５２に用いる不織布の各坪量は５０〜８０ｇ／ｍ2程度であるのが好ましい。この範囲内であれば、連結パネル５の固定部５ｆ及び先端部５ｐにおける強度や剛性の確保、及び本体部５ｂにおける柔軟性や伸縮性の確保を、バランス良く且つ効果的に達成することができる。
【００６２】
特徴的には、各連結用突出部５Ｗ，５Ｕの本体部のうち幅方向の少なくとも一部が幅方向に弾性伸縮する伸縮部（図示形態では本体部５ｂ）として構成されるとともに、図７、図１０、図１１の右側のグラフに強弱の変化を示すように、ウエスト側の連結用突出部５Ｗは、ウエスト側から脚周り側に向かうにつれて段階的又は連続的に幅方向の弾性変形時引張応力が強くなり、脚周り側の連結用突出部５Ｕは、脚周り側からウエスト側に向かうにつれて段階的又は連続的に幅方向の弾性変形時引張応力が強くなるように構成されている。このように各連結用突出部５Ｗ，５Ｕの弾性変形時引張応力に変化を設けると、図８に示されるように装着する際、ウエスト側の連結用突出部５Ｗは脚周り側よりもウエスト側が幅方向に引き伸ばし易くなるため、斜め下向きに引き伸ばし易くなり（収縮力に逆らわずに引き伸ばすと自然に斜め下向きになる）、脚周り側の連結用突出部５Ｕはウエスト側よりも脚周り側が幅方向に引き伸ばし易くなるため、斜め上向きに引き伸ばし易くなる（収縮力に逆らわずに引き伸ばすと自然に斜め上向きになる）。よって、より容易に理想的な装着状態とすることができ、また各連結用突出部５Ｗ，５Ｕが弾性伸縮することもあって、テープタイプ使い捨ておむつにおけるウエスト周り及び脚周りの緩みを効果的に防止することができる。なお、図９は、図７に示すのと同様の構造の脚周り側の連結用突出部５Ｕを斜め上向きに引き伸ばした状態を示している。
【００６３】
伸縮部を形成するための手法は特に限定されず、例えば伸縮不織布やゴムシート等のようにそれ自体で弾性伸縮する素材で連結用突出部を形成することもできるが、図示形態では、各連結用突出部５Ｗ，５Ｕの本体部のうち幅方向の少なくとも一部分を、第１のシート５１と第２のシート５３とを貼り合わせて形成するとともに、第１のシート５１と第２のシート５３との間に弾性伸縮部材２０を固定することにより、伸縮可能としている。弾性伸縮部材２０としては、細長状のものの他、シート状のものも用いることができる。
【００６４】
第１のシート５１及び第２のシート５３の接合は、ヒートシールや超音波シール等の溶着手段を用いて、対象素材、つまり第１のシート５１及び第２のシート５３の少なくとも一方の溶着により行う他、ホットメルト接着剤等の接着剤により行うこともできる。また、弾性伸縮部材２０の固定についても、ヒートシールや超音波シール等の溶着手段を用いて、対象素材、つまり弾性伸縮部材２０、第１のシート５１及び第２のシート５３の少なくとも一つの溶着により行う他、ホットメルト接着剤等の接着剤により行うこともできる。また、弾性伸縮部材２０の固定部位は、第１のシート５１及び第２のシート５３の接合部５４とする他、当該接合部分以外の別の位置とすることもできる。さらに、第１のシート５１及び第２のシート５３の接合は、同じ手段により形成しても異なる手段により形成しても良い。なお、図示形態はホットメルト接着剤を用いて第１のシート５１及び第２のシート５３の接合、並びに弾性伸縮部材２０の固定を行う形態を想定しており、図中には接着剤部分が点模様により示されている。
【００６５】
弾性伸縮部材２０は、各連結用突出部５Ｗ，５Ｕの本体部のうち幅方向の少なくとも一部が幅方向に弾性伸縮する伸縮部として構成される限り、その配置は特に限定されるものではないが、図７に示す例では、固定部５ｆから本体部５ｂを横断して先端部５ｐまで連続している。固定部５ｆから本体部５ｂまでとすることも可能である。より詳細には、弾性伸縮部材２０は、固定部５ｆにおける本体部５ｂ側と反対側の端縁に対して本体部５ｂ側に所定距離離間した位置から、本体部５ｂを通り先端部５ｐにおけるフックテープ９よりも本体部５ｂ側の位置まで延在している。よって、固定部５ｆにおける本体部５ｂ側と反対側の端部、及びフックテープ９から先端側の部分には弾性伸縮部材２０は延在していない。そして、弾性伸縮部材２０のうち、固定部５ｆに位置する部分２１はその全体が非伸長状態で固定されており、本体部５ｂに位置する部分２２の両端を除く略全体が幅方向に伸長した状態で固定されている。また、弾性伸縮部材２０における先端部５ｐに位置する部分２３もその全体が非伸長状態で固定されている。
【００６６】
このような構造を採用することによって、固定部５ｆが収縮しないため、固定部５ｆを挟持するシート（ギャザーシート４及びバックシート１）に対する密着性が確保され、接合強度が低下しないとともに、弾性伸縮部材２０と固定部５ｆとの間における力の伝達が直接的となり、弾性伸縮部材２０の伸縮作用によるおむつの形状追従性が損なわれることもない。また、弾性伸縮する部分を固定部５ｆ近傍まで設けることができ、伸縮長さの確保も容易となる。さらに、固定部５ｆにおける本体部５ｂ側と反対側の端部に弾性伸縮部材２０を有しないことにより、当該端部が平坦となり、固定部５ｆを挟持するシートに対して良好に密着し、より接合強度に優れるようになる。また、固定部５ｆと同様に、弾性伸縮部材２０における先端部５ｆに位置する部分２３も非伸長状態で固定されており、先端部５ｐが収縮しないため、補強シート５２と第１のシート５１とが良好に密着し、補強シート５２の接合強度が低下することがない。また、弾性伸縮部材２０の先端部が補強シート５２と重なるため、フックテープ９と弾性伸縮部材２０との間の力の伝達も円滑となり、弾性伸縮部材２０の伸縮作用によるおむつの形状追従性も損なわれ難くなる。
【００６７】
細長状の弾性伸縮部材２０を用いる場合、連結パネル５の上下方向に所定の間隔を空けて複数本並設するのが好ましい。具体的には、弾性伸縮部材２０の本数は、８〜１００本程度、特に２５〜５０本程度が適当であり、また、その間隔は２〜２５ｍｍ程度、特に３〜７ｍｍ程度とするのが好ましい。また、細長状弾性伸縮部材２０の太さは３００〜３０００ｄｔｅｘ程度、特に４００〜１３００ｄｔｅｘ程度、さらにいうならば９００〜１３００ｄｔｅｘ程度とするのが好ましく、また取り付け時の伸長率は１５０〜５００％程度、特に２００〜４００％程度、さらにいうならば３００〜４００％程度とするのが好ましい。図１４及び図１５に示すように、本体部５ｂを横断して固定部５ｆと先端部５ｐとを往復しながら連結パネル５の上下方向に延在する波状をなすように、弾性伸縮部材２０を配置することもできる。具体的な波状配置としては、図１４に示すように三角波状の配置を採用できる他、図１５に示すように幅方向に沿う直線状部分２０ｓと折り返し部分２０ｒからなる波状配置を採用することもできる。後者の場合、直線状部分は固定部５ｆ及び先端部５ｐにわたるように設けられているが好ましく、折り返し部分２０ｒは円弧状等の曲線状をなしているのが好ましい。
【００６８】
細長状の弾性伸縮部材２０が図示のように配置されていると、弾性伸縮部材２０が少なくとも固定部５ｆと本体部５ｂとに跨るように及び本体部５ｂと先端部５ｐとに跨るように、上下方向と交差する方向に沿って延在するため、弾性伸縮部材２０が固定部５ｆ及び先端部５ｐと本体部５ｂとの各境界を繋ぐ補強部材となるだけでなく、各境界に加わる力が分散するため、裂けや破れが防止される。しかも、この弾性伸縮部材２０を設けるだけであれば、柔軟性が損なわれることもなく、また形状が細長状であるため通気性が損なわれることもない。
【００６９】
細長状弾性伸縮部材２０の寸法等については適宜定めれば良いが、例えば、連結パネル５の寸法に関して、高さ（上下方向長さ）ｈを６０〜２４０ｍｍ、固定部５ｆの幅を２０〜６０ｍｍ、本体部５ｂの幅を４０〜２５０ｍｍ、先端部５ｐの幅を３０〜１０５ｍｍとする場合、弾性伸縮部材２０の太さを３００〜２，５００ｄｔｅｘとし、上下方向間隔ｓを２〜３０ｍｍとして、連結パネルの上下方向全体にわたり弾性伸縮部材２０を設けるのが好ましい。
【００７０】
また、第１のシート５１及び第２のシート５３を接合するためのシート接合部５４において弾性伸縮部材２０を固定する場合、その接合パターンは適宜定めることができ、幅方向の両端部のみ（例えば先端部５ｐ及び固定部５ｆのみ）でも良いが、幅方向に間欠的であるのが好ましく、中でもシート接合部５４及び非接合部５５の幅方向部位が上下方向に列なっているのが好ましい。具体的に図示形態の場合、第１のシート５１及び第２のシート５３は、幅方向に所定の間隔を空けて形成された、縦方向に延びるシート接合部５４により接合されており、且つこのシート接合部５４において弾性伸縮部材２０が第１のシート５１及び第２のシート５３の両者に固定され、シート接合部５４間では第１のシート５１及び第２のシート５３の両者に固定されていない。また、各シート接合部５４の幅５４ｗは５ｍｍ以下とされており、シート接合部５４間の間隔（非接合部５５の幅）５５ｗがシート接合部５４の幅５４ｗよりも大きくされている。
【００７１】
より具体的には、シート接合部５４の幅５４ｗを０．０５〜１０ｍｍ程度、特に０．１〜５ｍｍ程度、非接合部５５の幅５５ｗを２〜１５ｍｍ程度、特に２〜１０ｍｍ程度とし、細長状弾性伸縮部材２０の固定時の伸長率を１５０〜５００％程度、特に２００〜４００％程度とするのが好ましい。また、連結パネル５において弾性伸縮部材２０が伸長状態で固定された部分（図示形態の場合、本体部５ｂの部分２２）の幅は５０〜３００ｍｍ、特に１００〜２００ｍｍとするのが好ましい。
【００７２】
このように接合パターンとして十分に細く十分に間隔の空いた接合線群からなる縦縞状パターンを採用することにより、連結パネル５の本体部５ｂでは、縦方向に連続する低剛性の非接合部５５が幅方向に間欠的に形成されるため、各非接合部５５により柔軟に折れ曲がることができるとともに、縦方向に連続する各シート接合部５４の幅が細いため、接合による硬質化が抑制される。その結果、このような接合パターンを採用した連結パネル５は、胴回りにおける身体表面の突出部分に対して柔軟にフィットすることができる。しかも、接合パターンが縦縞であると、弾性伸縮部材２０並びに第１のシート５１及び第２のシート５３は幅方向に多数箇所で接合固定されるため固定強度に優れるとともに、伸縮長さを長く確保したとしても、規則的で綺麗な縦皺が形成されるため、肌触り及び見栄えが向上するとともに、伸縮も円滑となる。
【００７３】
他方、連結用突出部５Ｗ，５Ｕに弾性変形時引張応力の変化を付けるための手法も特に限定されない。よって、例えば、弾性変形時引張応力の異なる弾性伸縮部材２０（例えば太さが異なる細長状弾性伸縮部材７等）を複数用いて、ウエスト側の連結用突出部５Ｗはウエスト側から脚周り側に向かうにつれて、脚周り側の連結用突出部５Ｕは脚周り側からウエスト側に向かうにつれて、それぞれ段階的に幅方向の弾性変形時引張応力が強くなるように構成することもできるが、より設計変更及び製造が容易な手法も提案される。
【００７４】
すなわち、第１の手法は、図３及び図７に示されるように、連結用突出部５Ｗ，５Ｕをなす第１のシート５１及び第２のシート５３を、幅方向に所定の間隔を空けて形成された、縦方向に延びるシート接合部５４により接合し、且つ弾性伸縮部材２０はこのシート接合部５４で第１のシート５１及び第２のシート５３に固定するとともに、シート接合部５４間では第１のシート５１及び第２のシート５３に固定しない構造を基本として、各連結用突出部５Ｗ，５Ｕに弾性変形時引張応力の変化を付けるために、ウエスト側の連結用突出部５Ｗは、ウエスト側から脚周り側に向かうにつれて段階的に弾性伸縮部材２０の伸縮方向非固定割合を低くし、脚周り側の連結用突出部５Ｕは、脚周り側からウエスト側に向かうにつれて段階的に弾性伸縮部材２０の伸縮方向非固定割合を低くするものである。
【００７５】
ここで、「伸縮方向非固定割合」とは、「伸縮方向における非接合部５５の幅（シート接合部５４間の間隔５５ｗ）の総和」を「伸縮部の伸縮方向長さ」で除した値を意味し、その割合が低いほど弾性変形時引張応力は強くなるものである。例えば、図７に示す形態の場合、個々のシート接合部５４の幅は同じであるものの、ウエスト側の連結用突出部５Ｗは、その縦方向中間を境に脚周り側のシート接合部５４の間隔がウエスト側のシート接合部５４の間隔５５ｗよりも狭くされ、脚周り側の連結用突出部５Ｕは、その縦方向中間を境にウエスト側のシート接合部５４の間隔５５ｗが脚周り側のシート接合部５４の間隔５５ｗよりも狭くされているため、伸縮方向非固定割合は前述の関係を満たす。従って、伸縮方向非固定割合を縦方向に変化させるだけで、各連結用突出部５Ｗ，５Ｕにおける伸縮方向非固定割合以外の条件（弾性伸縮部材２０の素材、太さ、固定時の伸長率、縦方向の配置間隔）を変化させなくても、この伸縮方向非固定割合が変化する境界を境に、ウエスト側の連結用突出部５Ｗはウエスト側よりも脚周り側の方が幅方向の弾性変形時引張応力が強くなり、脚周り側の連結用突出部５Ｕは脚周り側よりもウエスト側の方が幅方向の弾性変形時引張応力が強くなる。
【００７６】
伸縮方向非固定割合は、図示形態のように、シート接合部５４の間隔５５ｗにより変化させることができる他、これに代えて又はこれとともに各シート接合部５４の幅５４ｗにより変化させることができる。
【００７７】
伸縮方向非固定割合は、図７に示す形態では各連結用突出部５Ｗ，５Ｕの縦方向中間で一段階変化されているが、図１０に示すように２段階変化する形態とすることもでき、図示しないが３段階以上変化させることもできる。また、図７に示す形態では伸縮方向非固定割合の変化境界を各連結用突出部５Ｗ，５Ｕの縦方向中央としているが、ウエスト側又は脚周り側に偏倚させることもできる。図７に示す形態において、各連結用突出部５Ｗ，５Ｕの脚周り側の縁を０％としウエスト側の縁を１００％としたとき、伸縮方向非固定割合の変化境界は１０〜９０％の範囲内に位置していることが望ましい。
【００７８】
本第１の手法のように伸縮方向非固定割合を変化させる場合、各連結用突出部５Ｗ，５Ｕにおける伸縮方向非固定割合の最大値／最小値は１．５〜４程度、特に２〜３程度とすることが望ましい。
【００７９】
第２の手法は、図１１に示されるように、第１の手法と同様の原理を利用しつつ、伸縮方向非固定割合が変化する境界を、ウエスト側の連結用突出部５Ｗは、本体部の固定部側から本体部の縦方向中間を通り先端部側へ向かう斜め下向きの境界ＢＬ１とし、脚周り側の連結用突出部５Ｕは、本体部の固定部側から本体部の縦方向中間を通り先端部側へ向かう斜め上向きの境界ＢＬ２としたものである。この形態では、第１の手法と同様の利点の他、境界が斜め方向であることにより、ウエスト側の連結用突出部５Ｗは、斜め下向きの境界ＢＬ１よりも脚周り側の方がウエスト側よりも幅方向の弾性変形時引張応力が強くなり、その結果としてウエスト側から脚周り側に向かうにつれて連続的に幅方向の弾性変形時引張応力が強くなる。同様に、脚周り側の連結用突出部５Ｕは、斜め上向きの境界ＢＬ２よりもウエスト側の方が脚周り側よりも幅方向の弾性変形時引張応力が強くなり、その結果として脚周り側からウエスト側に向かうにつれて連続的に幅方向の弾性変形時引張応力が強くなる。
なお、図１１に示す形態の連結用突出部５Ｗ，５Ｕにおける、境界ＢＬ１よりもウエスト側、及び境界ＢＬ２よりも脚周り側では、伸縮部である本体部５ｂ内にシート接合部５４がないため、本体部５ｂの幅が「伸縮方向における非接合部５５の幅の総和」となる。
【００８０】
＜他の形態＞
上記形態は、各連結用突出部５Ｗ，５Ｕを斜め方向に引き伸ばし易いものではあるが、各連結用突出部５Ｗ，５Ｕの向きは幅方向であるため、一見した使用者は斜め方向に引き伸ばすものと認知し難いものである。よって、図１２に示す形態も提案される。すなわち、この形態では、第１のシート５１及び第２のシート５３は、展開状態で、幅方向に所定の間隔を空けて形成された、弾性伸縮部材２０の延在方向に対する鋭角側交差角が４５度より大きい斜め方向に連続する斜め縞状のシート接合部５４により接合されており、且つ本体部５ｂにおける弾性伸縮部材２０は斜め縞状のシート接合部５４で第１のシート５１及び第２のシート５３に固定され、シート接合部５４間では第１のシート５１及び第２のシート５３に固定されていない。また、ウエスト側の連結用突出部５Ｗのシート接合部５４間は、本体部５ｂの固定部５ｆ側から先端部５ｐ側へ向かって斜め下向きとされ、脚周り側の連結用突出部５Ｕのシート接合部５４は、本体部５ｂの固定部５ｆ側から先端部５ｐ側へ向かって斜め上向きとされている。その他は、前述の形態と同様である。
【００８１】
このように斜め縞状のシート接合部５４により第１のシート５１及び第２のシート５３が接合され、かつ弾性伸縮部材２０が第１のシート５１及び第２のシート５３に固定されていると、図１３（ｃ）〜（ｄ）にサンプルによる伸縮状態を示すように、展開状態の弾性伸縮部材２０の延在方向に対して収縮状態の弾性伸縮部材２０の向きが斜め方向となる。これは、展開状態から弾性伸縮部材２０の収縮に伴い第１のシート５１及び第２のシート５３が収縮するとき、隣り合うシート接合部５４間が自然に襞寄せされる方向が弾性伸縮部材２０の収縮方向に対してズレる（鋭角側交差角θが４５度より大きくなるよう交差する）ために、これらの方向のズレのつり合いがとれるように第１のシート５１及び第２のシート５３が変形（図示のような矩形領域であれば伸縮方向一方側の辺が他方側の辺に対して平行にずれた平行四辺形のようになる）し、その結果として収縮状態の弾性伸縮部材２０の向きが斜め方向となるものである。この伸縮構造は完全に展開した状態では弾性伸縮部材２０の向きは斜め方向とはならないが、使い捨ておむつは展開状態での使用や流通を行うものではないし、製品状態（自然長状態）および装着状態では弾性伸縮部材２０の向きが斜め方向となり、斜め方向に沿うフィット性が得られるようになる。しかも、このような構造がシート接合部５４のパターン変更のみで可能であり、そのパターンも間欠的であるため、第１のシート５１及び第２のシート５３の柔軟性の低下は少ないものとなる。これに対して、鋭角側交差角θが４５度以下であると、図１３（ａ）（ｂ）に示すように、弾性伸縮部材２０をその連続方向に連続固定した状態に近くなる結果、シート接合部５４の連続方向に連続する襞は形成されず、展開状態の弾性伸縮部材２０の延在方向に対して収縮状態の弾性伸縮部材２０の向きは殆ど変化しない。
【００８２】
そして、このような伸縮原理を有するために、図示形態のように、ウエスト側の連結用突出部５Ｗのシート接合部５４は、本体部５ｂの固定部５ｆ側から先端部５ｐ側へ向かって斜め下向きとされ、脚周り側の連結用突出部５Ｕのシート接合部５４は、本体部５ｂの固定部５ｆ側から先端部５ｐ側へ向かって斜め上向きとされていると、ウエスト側の連結用突出部５Ｗは製品状態（自然長状態）および装着状態では先端側に向かうにつれて斜め下向きの形状となるとともに、斜め下向きに引き伸ばし易いものとなり、脚周り側の連結用突出部５Ｕは製品状態（自然長状態）および装着状態では先端側に向かうにつれて斜め上向きの形状となるとともに、斜め上向きに引き伸ばし易いものとなる。
【００８３】
本形態において、展開状態における、シート接合部５４の連続方向と弾性伸縮部材２０の延在方向との鋭角側交差角θは４５度以上（鋭角であるため９０度未満）であれば特に限定されないが、好ましくは５０〜８５度、より好ましくは５５〜８０度、特に好ましくは６０〜７５度である。
【００８４】
シート接合部は直線状であっても好ましいものであるが、曲線状をなしていると、展開状態の弾性伸縮部材２０の延在方向に対して収縮状態の弾性伸縮部材２０が斜め向きでかつ曲線状となるため、曲線状のフィット性が要求される部位に特に好ましいものとなる。
【００８５】
本形態においても、前述の第１の手法及び第２の手法を応用して、連結用突出部５Ｗ，５Ｕに弾性変形時引張応力の変化を付けることができる。
【００８６】
＜その他＞
図示形態のように、ウエスト側の連結用突出部５Ｗ及び脚周り側の連結用突出部５Ｕはミシン目１０を介して一体化された状態で設けられている形態では、ウエスト側の連結用突出部５Ｗにおけるシート接合部５４及び脚周り側の連結用突出部５Ｕのシート接合部５４が、ウエスト側の連結用突出部５Ｗから前記脚周り側の連結用突出部５Ｕにかけて連続的に塗布された接着剤により形成されていると、製造が容易になるとともに、ミシン目１０を切り離さない状態でウエスト側の連結用突出部５Ｗ及び脚周り側の連結用突出部５Ｕに形成される皺が縦方向に連続的となり、製品状態の見栄えが良いものとなるため好ましい。
【産業上の利用可能性】
【００８７】
本発明は、上記例のようにテープタイプ使い捨ておむつに利用できるものである。
【符号の説明】
【００８８】
１…不透液性バックシート、２…透液性トップシート、３…吸収体、３Ｘ…スリット、４…側部バリヤーシート、５…連結パネル、５Ｕ…脚周り側の連結用突出部、５Ｗ，５Ｕ…連結用突出部、５Ｗ…ウエスト側の連結用突出部、６…ターゲットテープ、７…細長状弾性伸縮部材、９…フックテープ、１０…ミシン目、１２…外装シート、１３…脚付根部弾性伸縮部材、１４…脚周り弾性伸縮部材、２０…弾性伸縮部材、３０…背側バリヤーシート、４０…背側伸縮部、５１…第１のシート、５３…第２のシート、５４…シート接合部、Ｆ…腹側部分、Ｂ…背側部分。
【図１】
2015142685.tif 000003
【図２】
2015142685.tif 000004
【図３】
2015142685.tif 000005
【図４】
2015142685.tif 000006
【図５】
2015142685.tif 000007
【図６】
2015142685.tif 000008
【図７】
2015142685.tif 000009
【図８】
2015142685.tif 000010
【図９】
2015142685.tif 000011
【図１０】
2015142685.tif 000012
【図１１】
2015142685.tif 000013
【図１２】
2015142685.tif 000014
【図１３】
2015142685.tif 000015
【図１４】
2015142685.tif 000016
【図１５】
2015142685.tif 000017